(57)【要約】      （修正有）【課題】上下２段に棚を備え、非使用時に折り畳んで広い平面スペースを要することなく収納配置できるカートを提供する。【解決手段】上棚２と、上棚２に相対配置され、その前後方向における途中部で前棚部１４と後棚部１６とが下方に折り畳み可能とされた下棚３と、上部に上棚２の後部が回動可動に軸支され、下部に下棚３の前部が回動可能に軸支され、両側下端にキャスター３６、３６それぞれを備える第１フレーム４と、途中部が第１フレーム４の途中部と回動可能に軸支されて互いが交差するように連結され、上端部が上棚２の下面を支持し、下部に下棚３の後部が回動可能に軸支され、両側下端にキャスター３８、３８それぞれを備える第２フレーム５とを備える。第１フレーム４と第２フレーム５とのそれぞれが互いに回動されて閉じられることで、下棚３が折り畳まれる。【選択図】図１
0003195792.tif 000002
【実用新案登録請求の範囲】
【請求項１】
上棚と、
前記上棚に相対配置され、その前後方向における途中部で前棚部と後棚部とが下方に折り畳み可能とされた下棚と、
上部に前記上棚の後部が回動可動に軸支され、下部に前記下棚の前部が回動可能に軸支され、両側下端にキャスターそれぞれを備える第１フレームと、
途中部が前記第１フレームの途中部と回動可能に軸支され互いが交差するように連結され、上端部が前記上棚の下面を支持し、下部に前記下棚の後部が回動可能に軸支され、両側下端にキャスターそれぞれを備える第２フレームとを備え、
前記第１フレームと前記第２フレームとのそれぞれが互いに回動されて閉じられることで、前記下棚が折り畳まれるとともに前記第２フレームの上端部による前記上棚の下面の支持が解除され、前記上棚と前記折り畳み状態の下棚と前記閉じ状態の前記第１フレームと前記第２フレームとのそれぞれが、その側面形態を略直線状として折り畳まれることを特徴とするカート。
【請求項２】
前記折り畳み時に、前記第１のフレームと前記第２のフレームとの４個のキャスターによって自立状態に設置される請求項１記載のカート。
【請求項３】
前記上棚の基部の下側に、前記折り畳み時における前記第２フレームの前記上端部を係止保持する保持部が設けられてなる請求項１記載のカート。
【考案の詳細な説明】
【技術分野】
【０００１】  この考案は、ショッピングカート等として使用されるカートに関する。
【背景技術】
【０００２】  スーパーマーケットやショッピングモール等の大型の商業施設においては、顧客によりキャスターによって移動が行えるショッピングカートが汎用されている。この種ショッピングカートは物品の積載量が大きくできるように、上下２段に棚が設置されている場合が多い。
【考案の概念】
【考案が解決しようとする課題】
【０００３】  上記カートは棚が存在することで平面形状が広いので、非使用時には収納配置するための広いスペースを必要とする。この考案では、上下２段に棚を備えるカートを、非使用時に折り畳んで広い平面スペースを要することなく収納配置できるようにすることを目的とする。
【課題を解決するための手段】
【０００４】  この考案では、上棚と、前記上棚に相対配置され、その前後方向における途中部で前棚部と後棚部とが下方に折り畳み可能とされた下棚と、上部に前記上棚の後部が回動可動に軸支され、下部に前記下棚の前部が回動可能に軸支され、両側下端にキャスターそれぞれを備える第１のフレームと、途中部が前記第１のフレームの途中部と回動可能に軸支され互いが交差するように連結され、上端部が前記上棚の下面を支持し、下部に前記下棚の後部が回動可能に軸支され、両側下端にキャスターそれぞれを備える第２のフレームとを備え、前記第１フレームと前記第２フレームとのそれぞれが互いに回動されて閉じられることで、前記下棚が折り畳まれるとともに前記第２フレームの上端部による前記上棚の下面の支持が解除され、前記上棚と前記折り畳み状態の下棚と前記閉じ状態の前記第１フレームと前記第２フレームとのそれぞれが、その側面形態を略直線状となって折り畳まれることを特徴とするカートを提供する。
【０００５】  上記構成のカートは、第１フレームと第２フレームとのそれぞれが互いに回動されて閉じられることで、下棚の前棚部と後棚部とが下方に折り畳まれるとともに第２フレームの上端部による上棚の下面の支持が解除されて上棚も折り畳まれ、上棚と折り畳み状態の下棚と第１フレームと第２フレームとのそれぞれがその側面形態を略直線状となって折り畳まれる。これにより、平面形状が小さくなって、非使用時におけるカートの収納配置を広い平面スペースを要することなく行える。
【０００６】  折り畳み時に、第１のフレームと第２のフレームとの４個のキャスターによって自立状態に設置される構成とすることで、非使用時における収納配置が容易になされる。
【０００７】  上棚の基部の下側に、折り畳み時における第２フレームの上端部を係止保持する保持部が設けられてなる構成とすることで、折り畳み状態の維持が安定して行われる。
【０００８】  この考案のカートはスーパーマーケットやショッピングモール等の大型の商業施設における顧客の製品搬送、大型倉庫における物品搬送等に好適に用いられる。
【考案の効果】
【０００９】  この考案によれば、上下２段に棚を備えるカートが、非使用時に折り畳んで広い平面スペースを要することなく収納配置できるようになり、この考案のカートはスーパーマーケットやショッピングモール等において有効に用いられる。
【図面の簡単な説明】
【００１０】
【図１】  この考案のカートの実施形態の全体斜視図
【図２】  この考案のカートの実施形態の平面図
【図３】  この考案のカートの実施形態の折り畳み時の全体斜視図
【図４】  この考案のカートの実施形態の折り畳み時の側面図
【図５】  この考案のカートの実施形態の折り畳み時の背面図
【図６】  この考案のカートの他の実施形態の全体斜視図
【図７】  この考案のカートの他の実施形態の折り畳み時の全体斜視図
【図８】  この考案のカートの他の実施形態の折り畳み時の側面図
【図９】  この考案のカートの他の実施形態の折り畳み時の背面図
【実施形態の説明】
【００１１】  図１はこの考案のカートの実施形態の全体斜視図、図２は同平面図である。物品収納用カート１は全体が金属製のパイプ部材によって組み立てられ、上棚２と下棚３と第１フレーム４と第２フレーム５とから構成される。
【００１２】  上棚２は太径のコ字型のパイプ部材７間に複数本の細径のパイプ部材８が横方向に取り付けられて構成され、後部には軸支ロッド１０が取り付けられ、軸支ロッド１０とパイプ部材７の両後端とは上方に湾曲突出する保持部１２それぞれによって連続している。
【００１３】  下棚３は前後方向における略中間位置において前棚部１４と後棚部１６とが折り畳み可能に連接されて構成されている。前棚部１４は両側の太径のパイプ部材１７間に複数本の細径のパイプ部材１８が横方向に取り付けられて構成され、前部には軸支ロッド２０が取り付けられている。後棚部１６は両側の太径のパイプ部材２２間に複数本の細径のパイプ部材２４が横方向に取り付けられて構成され、後部には軸支ロッド３０が取り付けられ、その軸支ロッド３０の中間位置の後部には湾曲状の足掛け部３２が一体に設けられ、さらに、パイプ部材２２の両前端の上側には押さえ片３４のそれぞれが取り付けられている。前棚部１４と後棚部１６とはパイプ部材１７とパイプ部材２２それぞれの後端部と前端部とが軸支部３５で互いに回動可能に連結され、これによりその軸支位置で折り畳み可能とされている。後棚部１６の押さえ片３４のそれぞれが前棚部１４のパイプ部材１７の後端部それぞれを上側から押さえることで、折り畳みは下方にのみ折り畳まれるようになっている。
【００１４】  第１フレーム４は太径のパイプ部材３３が大形の長方形を形成する構成で、パイプ部材３３の下部両端の下側にキャスター３６のそれぞれが水平方向における回転を自在な状態において取り付けられている。パイプ部材３３の上部の水平部が手押し部３９となっている。
【００１５】  第２フレーム５は太径のパイプ部材３７が大形のコ字形を形成する構成で、そのパイプ部材３７の折れ曲がった両方の下部の下端にキャスター３８のそれぞれが水平方向における回転を自在な状態において取り付けられている。パイプ部材３７の上部の水平部が上棚の支持部４１となっている。
【００１６】  次にカート１の全体の組み立て構成を説明する。第１フレーム４と第２フレーム５とがそれぞれの長手方向における途中部において軸支部４４で回動可能に軸支されて取り付けられる。上棚２はその軸支ロッド１０の両端が第１フレーム４のパイプ部材３３の上部間に回動可能に軸支部４６で軸支されて取り付けられる。下棚３はその前棚部１４の軸支ロッド２０の両端が第１フレーム４のパイプ部材３３の下部間に軸支部４８で回動可能に軸支されて取り付けられ、後棚部１６の軸支ロッド３０の両端が第２フレーム５のパイプ部材３７の下部間に軸支部４９で回動可能に軸支されて取り付けられる。この組み立て状態において、第１フレーム４と第２フレーム５とが互いが交差する形態に開かれることで、下棚３の前棚部１４と後棚部１６とは開き状態となって面一に位置し、上棚２は第２フレーム５の支持部４１によりその下面が支持される。このように組み立てられたカート１は、上棚２、下棚３上に物品が載置された状態において、手押し部３９が押されることでキャスター３６、キャスター３８が回転して適宜の方向に移動されて用いられる。
【００１７】  次にカート１の折り畳み構成を説明する。カート１の後方に立って右手で手押し部３９を持ち、右足を足掛け部３２に掛け、前側に回した左手で第２フレーム５のパイプ部材３７の側部上部Ｘ位置を手前に引く。これにより第１フレーム４と第２フレーム５とが回動により折り畳まれていくことで、上棚２は支持部４１による支持が解除されることで回動して下側に折り畳まれ、下棚３も前棚部１４と後棚部１６とが折り畳まれ、図３、図４に示すように、カート１はその全体が垂直方向において略直線形態となって折り畳まれる。折り畳まれた際には、上棚２の保持部１２に第２フレーム５の支持部４１が下方から嵌り込んで係止保持され、これによりカート１はその折り畳み状態が安定して維持され、この係止保持を外すことで開かれることが可能となる。
【００１８】  上記の折り畳み状態において、図４、図５に示すように、キャスター３６、キャスター３８のそれぞれによって４点の平面位置で水平に支持されるように設計されており、これによりカート１は自立される。このようにして、カート１は、非使用時においては折り畳み状態とされてコンパクトな平面スペースに自立する状態で収納配置できる。
【００１９】  図６から図９はカート１の他の実施形態を示す。この実施形態においては、上棚２の軸支ロッド１０に持ち手部１００を設けるとともに、上棚２の後部に軸支構造による折り畳み部１０１を設けている。その他構成においては上記実施形態のものと同じである。
【００２０】  この実施形態のカート１の折り畳み構成を説明する。折り畳みに際しては、図６に示す状態において、カート１の後方に立って左手で手押し部３９を持つとともに右足を足掛け部３２に掛け、右手で持ち手部１００を持って後方に引く。これにより第１フレーム４と第２フレーム５とが回動により折り畳まれるとともに、上棚２の折り畳み部１０１が折り畳まれ、カート１は、上記実施形態のカート１と同様に、図７から図９に示すようにその全体が垂直方向において略直線形態となって折り畳まれる。折り畳まれた際には、上棚２の折り畳み部１０１の内側角部により形成される保持部１２に第２フレーム５の支持部４１が係止保持され、これによりカート１はその折り畳み状態が安定して維持される。カート１はその折り畳み状態において、上記実施形態のカート１と同様に、自立されてコンパクトな平面スペースに収納配置できる。
【符号の説明】
【００２１】  １    カート
２    上棚
３    下棚
４    第１フレーム
５    第２フレーム
１４  前棚部
１６  後棚部
３６  キャスター
３８  キャスター
【図１】
0003195792.tif 000003
【図２】
0003195792.tif 000004
【図３】
0003195792.tif 000005
【図４】
0003195792.tif 000006
【図５】
0003195792.tif 000007
【図６】
0003195792.tif 000008
【図７】
0003195792.tif 000009
【図８】
0003195792.tif 000010
【図９】
0003195792.tif 000011